(57)【要約】【課題】ノズルの清浄性を向上し得る局部洗浄装置及びこれを備えた便器装置を提供する。【解決手段】局部洗浄装置１０は、進退移動自在とされ、局部洗浄動作の作動時には進出して局部に向けて洗浄水を供給するノズル１３と、該ノズルの表面にコーティング剤Ａを吐出する吐出部１２とを備え、前記局部洗浄動作を作動させる操作を検知したときには、前記吐出部から前記コーティング剤を吐出させ、前記ノズルの表面を前記コーティング剤でコーティングしながら前記ノズルを進出方向に移動させる。【選択図】図１
2018009375.tif 000002
【特許請求の範囲】
【請求項１】
進退移動自在とされ、局部洗浄動作の作動時には進出して局部に向けて洗浄水を供給するノズルと、該ノズルの表面にコーティング剤を吐出する吐出部とを備え、
前記局部洗浄動作を作動させる操作を検知したときには、前記吐出部から前記コーティング剤を吐出させ、前記ノズルの表面を前記コーティング剤でコーティングしながら前記ノズルを進出方向に移動させることを特徴とする局部洗浄装置。
【請求項２】
請求項１において、
前記局部洗浄動作の終了後、前記ノズルを洗浄するノズル洗浄部を備えていることを特徴とする局部洗浄装置。
【請求項３】
請求項１または請求項２において、
前記吐出部は、前記ノズルの表面に対して複数方向から前記コーティング剤を吐出するように設けられていることを特徴とする局部洗浄装置。
【請求項４】
請求項１乃至請求項３のいずれか１項において、
前記コーティング剤は、前記ノズルの進出方向先側に形成された洗浄水吐出口を避けた位置から吐出されることを特徴とする局部洗浄装置。
【請求項５】
請求項１乃至４のいずれか１項に記載の局部洗浄装置を備えた便器装置。
【発明の詳細な説明】
【技術分野】
【０００１】
本発明は、局部洗浄装置及びこれを備えた便器装置に関する。
【背景技術】
【０００２】
従来より、使用者の局部に向けて洗浄水を供給するノズルを設けた局部洗浄装置が知られている。このような局部洗浄装置においては、局部を洗浄して跳ね返った洗浄水や汚物等がノズルに付着するという問題があった。またこのような理由から公衆トイレ等、不特定多数の人が使用する便器装置に設置されている局部洗浄装置を使用したくとも衛生面が気になり、心理的に使用できないという問題もあった。
例えば、下記特許文献１には、人体洗浄用ノズルから水を噴出中又は噴出後又は噴出直前において人体洗浄用ノズルの表面にノズル洗浄用ノズルをもって殺菌剤又は洗浄剤を吹き掛ける洗浄機構が開示されている。
【先行技術文献】
【特許文献】
【０００３】
【特許文献１】特開２０１２−５２３３１号公報
【発明の概要】
【発明が解決しようとする課題】
【０００４】
しかしながら、上記特許文献１に記載された洗浄機構では、前方向にノズルを進出させた状態で、殺菌剤又は洗浄剤を吹き掛ける構成であるので、ノズルの表面全体に殺菌剤又は洗浄剤を吹き掛けられない可能性が考えられ、更なる改善が望まれる。
【０００５】
本発明は、上記実情を鑑みてなされたものであり、ノズルの清浄性を向上し得る局部洗浄装置及びこれを備えた便器装置を提供することを目的としている。
【課題を解決するための手段】
【０００６】
本発明に係る局部洗浄装置は、進退移動自在とされ、局部洗浄動作の作動時には進出して局部に向けて洗浄水を供給するノズルと、該ノズルの表面にコーティング剤を吐出する吐出部とを備え、前記局部洗浄動作を作動させる操作を検知したときには、前記吐出部から前記コーティング剤を吐出させ、前記ノズルの表面を前記コーティング剤でコーティングしながら前記ノズルを進出方向に移動させることを特徴とする。
【０００７】
また、本発明に係る便器装置は、本発明に係る局部洗浄装置を備えたことを特徴とする。
【発明の効果】
【０００８】
本発明に係る局部洗浄装置及びこれを備えた便器装置は、上記のような構成としたことで、ノズルの清浄性を向上させることができる。
【図面の簡単な説明】
【０００９】
【図１】（ａ）は、本実施形態に係る局部洗浄装置及びこれを備えた便器装置を模式的に示し、図３におけるＹ部に対応させた一部破断概略縦断面図、（ｂ）、（ｃ）は、同局部洗浄装置のノズルを説明するために模式的に示した概略正面図である。
【図２】（ａ）、（ｂ）は、同局部洗浄装置を説明するために模式的に示した概略側面図である。
【図３】同便器装置を模式的に示す概略斜視図である。
【図４】同局部洗浄装置（便器装置）において実行される基本動作を模式的に示す概略タイムチャートである。
【発明を実施するための形態】
【００１０】
以下に本発明の実施形態について、図面に基づいて説明する。
なお、以下の実施形態では、便器装置が設置された状態を基準として上下方向等の方向を説明する。
【００１１】
本実施形態に係る局部洗浄装置１０は、進退移動自在とされ、局部洗浄動作の作動時には進出して局部に向けて洗浄水を供給するノズル１３と、ノズル１３の表面にコーティング剤Ａを吐出する吐出部１２とを備えている。局部洗浄装置１０は、局部洗浄動作を作動させる操作を検知したときには、吐出部１２からコーティング剤Ａを吐出させ、ノズル１３の表面をコーティング剤Ａでコーティングしながらノズル１３を進出方向に移動させる。
以下、詳しく説明する。
【００１２】
図３に示すように、局部洗浄装置１０は、便器装置１に設けられている。この便器装置１は、床等の設置面に設置される着座式のいわゆる洋式の便器装置１とされている。便器装置１には、上方に向けて開口するすり鉢状とされたボウル部（便鉢）２や、便座５、便蓋６、これら便座５及び便蓋６を回転自在に支持する機構部等を覆う上ケース部７、給排水管に接続される給排水機構等が設けられている。
【００１３】
本実施形態では、便器装置１を水洗タンク（ロータンク）を備えていない、いわゆるタンクレスタイプのものとした例を示しているが、このような態様に代えて、水洗タンクを備えた構成としてもよい。便器装置１の給水機構としては、ボウル部２の上端に周方向に延びるように設けられたリム部に沿わせるように洗浄水（水道水）を供給する構成とされたものとしてもよい。また、この洗浄水の供給は、便器装置１の適所に設けられた洗浄操作部等の操作によってなされるものとしてもよい。
便器装置１に、便座５や便蓋６を開閉する開閉装置や、脱臭装置、便座５を温める加熱装置等の各種機能装置や機構部材を設けた構成としてもよい。また、便器装置１に、人体検知センサや着座センサ等の各種センサを設けた構成としてもよく、上記した各種機能装置を操作する操作部としてのリモコン装置や、リモコン装置の各種信号の送受信を可能とする送受信装置等を設けた構成としてもよい。
【００１４】
局部洗浄装置１０は、図１及び図２に示すように、局部に向けて洗浄水を供給するノズル１３を備えている。本実施形態では、この局部洗浄装置１０を、便器装置１の便器奥行方向奥側の上位部位に設けられた上ケース部７内に組み込んだ構成としている。
ノズル１３は、図１及び図２に示すように、収納位置と洗浄位置とを進退自在とされている。このノズル１３は、略円筒状とされており、その長手方向に沿って進退移動自在に構成されている。本実施形態では、このノズル１３を、ボウル部２の上端部内壁３の便器奥行方向奥側に設けられた開口４を介して便器奥行方向手前側となるボウル部２内の中心側に向けて突出するように進出される構成としている。この開口４は、ノズル１３の進出方向先側となるボウル部２の上端部内壁３を貫通するように設けられている。なお、図例では、ボウル部２の上端部内壁３を、上ケース部７から一連状に形成されたものとした例を示しているが、別体とされたものとしてもよい。
【００１５】
ノズル１３は、図１（ａ）等に示すように、斜め下方側に向けて進出する構成としており、局部洗浄装置１０に、ノズル１３を出し入れ自在にガイドするノズルケース１４を設けている。このノズルケース１４は、ノズル１３の長手方向に沿わせた筒状とされ、進出方向の斜め下方側に向けて開口している。よって、ノズル１３は、図１（ａ）に示すように、洗浄位置とされれば、ノズルケース１４から突出するように進出した状態となる。
ノズル１３には、このように進出した洗浄位置において、局部に向けて局部洗浄水を吐出（噴出）する洗浄水吐出口１３ａが設けられている。この洗浄水吐出口１３ａは、ノズル１３の進出方向先側の上面側において開口するように形成されている。
【００１６】
ノズル１３を、臀部用とビデ用とに対応可能な構成としてもよい。例えば、ノズル１３を、二重筒構造とし、内筒に臀部用の吐出孔とビデ用の吐出孔とを設け、これらのうちのいずれかを外筒に設けられた洗浄水吐出口１３ａに選択的に一致させて局部洗浄水を吐出する構成とされたものとしてもよい。または、ノズル１３に臀部用及びビデ用２つの吐出孔を設けた態様としてもよく、その他、種々の変形が可能である。さらには、臀部用とビデ用との２つのノズル１３を設けた態様としてもよい。
また、このノズル１３を進退させる機構としては、適宜の駆動機構を採用するようにしてもよく、例えば、ノズル１３に、モーターの回転駆動を伝達するギアに噛み合うラック等を設けたものとしてもよく、その他、種々の機構の採用が可能である。また、このノズル１３の洗浄位置を、ノズル１３の進退方向に沿って多段階的に調整可能な構成とし、洗浄位置を調整する操作部を適所に設けた態様としてもよい。なお、ノズル１３は、耐久性や清浄性等の観点から、適宜の金属系材料や硬質の合成樹脂材料から形成されたものとしてもよく、好ましくは、ステンレス等の防錆性を有する金属系材料から形成されたものとしてもよい。
【００１７】
局部洗浄装置１０（便器装置１）には、ノズル１３の進出方向先側に設けられた開口４を開閉するノズル蓋１５が設けられている。
ノズル蓋１５は、図３に示すように、閉鎖状態で、ボウル部２の上端部内壁３に沿うように配され、便器奥行方向に厚さ方向を沿わせた略板状とされている。図例では、このノズル蓋１５を、閉鎖状態で便器奥行方向手前側に向く面が、上端部内壁３における便器奥行方向手前側に向く略垂直面状とされた手前側面と略同一平面状となる構成としている。また、図例では、このノズル蓋１５を閉鎖状態で便器奥行方向（厚さ方向）に見て略矩形状とした例を示している。
【００１８】
本実施形態では、このノズル蓋１５を、上端側が便器幅方向に沿う軸廻りに回転自在に支持された構成としている。このノズル蓋１５は、図１（ａ）に示すように、ノズル１３の進出に伴い開放され、図３に示すように、ノズル１３が収納位置に収納されれば、閉鎖される。なお、このノズル蓋１５は、進出方向へ移動するノズル１３によって押し上げられて開放され、自重によって閉鎖される構成とされたものとしてもよく、または、モーター等を有した適宜の開閉機構によって開閉されるものとしてもよい。
【００１９】
局部洗浄装置１０には、このノズル１３に局部を洗浄するための洗浄水を供給する局部洗浄水供給部１８と、この局部洗浄水供給部１８の操作部としての局部洗浄操作部１１と、が設けられている（図４参照）。
局部洗浄水供給部１８には、ノズル１３に向けて局部洗浄水を供給する供給管路やこの供給管路に設けられた洗浄水を供給または遮断する開閉弁が設けられており、供給管路を通過する洗浄水を加熱するヒーター等がさらに設けられているものとしてもよい。この局部洗浄水供給部１８の供給管路は、ボウル部２に洗浄水を供給する給水機構から分岐して設けられたものとしてもよい。また、この局部洗浄水供給部１８に、洗浄水を貯留して加熱する小型タンクを設けた構成としてもよく、この場合は、適宜のポンプ等を設けた構成としてもよい。
【００２０】
局部洗浄操作部１１は、便器装置１のリモコン装置や便座５の側方部位等に設けられたものとしてもよい。
局部洗浄操作部１１の操作（開始（ＯＮ）操作）がなされた場合は、後記する制御部によって局部洗浄動作を作動させる操作が検知され、ノズル１３が洗浄位置に進出し、洗浄水吐出口１３ａから洗浄水が吐出される。なお、この局部洗浄操作部１１は、局部洗浄開始（ＯＮ）操作と停止（ＯＦＦ）操作とが可能な構成とされたものとしてもよく、または、別途に停止操作部を設けたような態様としてもよい。さらには、局部洗浄操作部１１の操作（開始操作）後に、所定時間が経過すれば、局部洗浄を停止するような態様とされたものとしてもよい。
また、上記のように、ノズル１３を、臀部用とビデ用とに対応可能とした場合には、臀部用の局部洗浄操作部１１とビデ用の局部洗浄操作部１１とを設けた態様としてもよい。さらに局部洗浄装置１０に、洗浄水の水勢調整や洗浄水の温度調整を可能とする機構や操作部等を設けた態様としてもよい。
【００２１】
局部洗浄装置１０には、図１(ａ)等に示すように、ノズル１３の表面にコーティング剤Ａを吐出する吐出部１２が設けられている。よって局部洗浄操作部１１の操作（開始（ＯＮ）操作）がされる等、局部洗浄動作を作動させる操作を検知したときには、吐出部１２からコーティング剤Ａが吐出され、ノズル１３の表面をコーティング剤Ａでコーティングしながらノズル１３を進出方向に移動させる。
このようにノズル１３による局部洗浄動作が開始される前にノズル１３の表面がコーティング剤Ａによりコーティングされることで、局部洗浄動作時に直接ノズル１３に汚物や跳ね返った水等の汚れが付着することを防ぐことができ、ノズル１３の清浄性を向上させることができる。
【００２２】
吐出部１２は、ノズル１３の表面に対して複数方向からコーティング剤Ａを吐出するように設けられていてもよい。図１（ｂ）の場合は、吐出部１２をノズル１３に対して上方向だけでなく、左右側にも設け、ノズル１３の上方向及び左右方向からノズル１３の表面に向けてコーティング剤Ａを吐出することができるように構成する。これによれば、ノズル１３の表面全体を万遍なくコーティング剤Ａでコーティングすることができる（図１(ｂ)及び図１(ｃ)参照）。なお、吐出部１２が設けられる位置、構成は図例に限定されるものではない。例えばコーティング剤Ａを吐出部１２の口から滴下しながら（垂らしながら）、塗布・コーティングしていく例に限らず、噴霧するようにしてもよい。
【００２３】
また図２（ａ）に示すように、コーティング剤Ａは、洗浄水吐出口１３ａを避けた位置から吐出されるよう、コーティングを開始することが望ましい。このようにすれば、吐出部１２の位置は固定の位置のまま、ノズル１３が進出方向に移動するので、図２（ｂ）の２点鎖線で示す範囲にコーティング剤Ａを満遍なく塗布することができる。局部洗浄動作において、特に汚れの付着がある範囲が図２（ｂ）の２点鎖線で示す範囲といえ、この範囲がコーティング剤Ａでコーティングされていれば、直接ノズル１３に汚れ等が付着することを効果的に防ぐことができる。またこのように洗浄水吐出口１３ａを避けてコーティング剤Ａを吐出すれば、ノズル１３で人体の局部に向けて吐出される洗浄水にコーティング剤Ａが混入されることも防ぐことができる。
【００２４】
コーティング剤Ａとしては、洗剤、殺菌剤等を用いることができ、例えば市販されている液状の中性洗剤としてもよい。ここで用いられるコーティング剤Ａとしては、粘度の高いものが好適に用いられる。コーティング剤Ａの粘度が低い場合では、吐出部１２がノズル１３の洗浄水吐出口１３ａを避けてコーティング剤Ａを吐出しても、コーティング剤Ａがノズル１３の長手方向に伝って進出方向先側の洗浄水吐出口１３ａに到達するおそれがある。また、局部洗浄動作中にコーティング剤Ａが重力によってノズル１３の表面からボウル部２内に流れ落ちてしまい、ノズル１３のコーティング作用が低くなるおそれがある。よって、吐出部１２が、ノズル１３の洗浄水吐出口１３ａを避けて粘度の高いコーティング剤Ａを吐出することで、コーティング剤Ａがノズル１３の長手方向に伝って下方の洗浄水吐出口１３ａに到達するおそれが低くなる。また、局部洗浄動作中に、コーティング剤Ａがノズル１３の表面から流れ落ちにくくなり、ノズル１３のコーティング作用が保たれやすくなる。なお、図示していないが、局部洗浄装置１０（便器装置１）に、コーティング剤Ａを貯蔵する小型タンク等が設けられ、局部洗浄装置１０の外部からコーティング剤Ａの補給が可能な構成としてもよい。
【００２５】
局部洗浄装置１０には、局部洗浄動作終了後、ノズル１３を洗浄するノズル洗浄部１６がノズル１３の上方に設けられている。ノズル洗浄部１６から吐出されてノズル１３を洗浄したノズル洗浄水は、ボウル部２に流下（落下）する。図１（ａ）では、ノズルケース１４の下方側に設けられた底壁を、ボウル部２に向けて下るように傾斜する傾斜状とし、かつ、ノズル洗浄部１６の下方側部位をボウル部２に向けて開口させた構成としている。図２（ｂ）に示すように、ノズル１３が収納位置へ移動する際、ノズル洗浄部１６はノズル洗浄水を吐出し、ノズル１３をコーティングしているコーティング剤Ａとこれとともにコーティング剤Ａの上に付着した汚物等が洗い流される。このようにすれば、ノズル１３は洗浄されるので清潔に保たれる。
【００２６】
なお、図１及び図２では、ノズル洗浄部１６は、吐出部１２より便器奥行方向手前側に設けられているが、吐出部１２より便器奥行方向奥側に設け進退自在に構成されているものとしてもよい。また、ノズル洗浄部１６は、ノズルケース１４内に設けられてもよい。
また、ノズル洗浄部１６は、ノズル１３の表面に対して複数方向から洗浄水を吐出するように設けられてもよい。そして、ノズル洗浄部１６から吐出するノズル洗浄水の水温や水勢は、局部洗浄装置１０にノズル洗浄水の温度や水勢の調整を可能とする機構や操作部が設けられることにより、適宜選択可能としてもよい。
さらにノズル洗浄部１６のノズル洗浄水は、ボウル部２に洗浄水を供給する給水機構から分岐して設けられたものとしてもよく、ノズル洗浄水の供給元を水道としてもよい。また、ノズル洗浄部１６のノズル洗浄水を、ノズル１３に局部洗浄水を供給する供給管路から分岐して設けられたものとしてもよい。
【００２７】
局部洗浄装置１０の局部洗浄操作部１１、局部洗浄水供給部１８、ノズル洗浄水開閉弁１９、ノズル１３の駆動部は、信号線等を介して、これらを制御する制御部に接続されている。この制御部によって後述する基本動作の実行がなされる。また、この制御部には、例えば、ＣＰＵ等の制御回路や、メモリ等によって構成され各種動作プログラム等を記憶する記憶部等が設けられている。なお、この制御部は、局部洗浄装置１０が備えるものとしてもよく、便器装置１が備えるものとしてもよい。
以下、本実施形態に係る局部洗浄装置１０（便器装置１）において実行される基本動作の一例を、図４を参照して説明する。
【００２８】
図４に示すように、本動作例では、使用者が用便後に局部を洗浄するために局部洗浄操作部１１のＯＮ操作がなされると、ノズル１３が収納位置から洗浄位置に向けて進出を開始する。ノズル１３の進出開始と同時に、コーティング剤開閉弁１７が開となり、ノズル１３の表面に向けて吐出部１２からコーティング剤Ａを吐出し、ノズルコーティングが開始される。ノズル１３の移動は洗浄位置に到達すると停止し、コーティング剤開閉弁１７が閉となりノズルコーティングが停止される。ノズルコーティングが停止されると局部洗浄水供給部１８がＯＮとなり、ノズル１３の洗浄水吐出口１３ａから人体の局部に向けて局部洗浄水を吐出する。図例では、これら局部洗浄操作部１１のＯＮ、ノズル１３の進出開始、コーティング剤開閉弁１７の開が同時になされるように示しているが、適宜の遅延時間等が設けられてもよい。また同様に、これらノズル１３の洗浄位置の到達、コーティング剤開閉弁１７の閉、局部洗浄水供給部１８のＯＮが同時になされるように示しているが、適宜の遅延時間等が設けられてもよい。
【００２９】
そして、局部洗浄操作部１１のＯＦＦ操作がなされれば、局部洗浄水供給部１８がＯＦＦとなり、洗浄水吐出口１３ａから局部洗浄水の吐出が停止される。その後、ノズル１３が収納位置まで後退を開始するのと同時に、ノズル洗浄水開閉弁１９が開となり、ノズル洗浄部１６がノズル洗浄水を吐出して、ノズル洗浄が開始される。ノズル１３が収納位置に到達するとノズル１３は停止する。ノズル１３が停止するのと同時に、ノズル洗浄水開閉弁１９が閉となり、ノズル洗浄部１６がノズル洗浄水の吐出するのを停止し、ノズル洗浄が終了される。
なお、図例では、局部洗浄の際のノズル１３の洗浄位置までの進出速度と、収納位置までの後退速度を略同じ速度の例を示しているが、違う速度としてもよい。また図例では、これら局部洗浄操作部１１のＯＦＦ、ノズル１３の後退開始、ノズル洗浄水開閉弁１９の開が同時になされるように示しているが、適宜の遅延時間等が設けられてもよい。また、ノズル洗浄は、ノズル１３の清浄性の維持の観点等から、ノズル１３が収納位置に到達しても、所定の時間が経過するまで実行するようにしてもよい。
【００３０】
また、ノズル１３に付着したコーティング剤Ａや汚物等を除去する観点や殺菌性の観点から、適宜の温度となるようにノズル洗浄部１６から吐出するノズル洗浄水を加熱するものとしてもよく、例えば、６０℃〜１００℃程度に加熱するものとしてもよい。この場合、ノズル洗浄水を、局部洗浄水や便座５を加熱する共通の加熱装置で加熱してもよく、別の加熱装置を設けて加熱してもよい。これらの加熱装置は、局部洗浄装置１０や便器装置１が備える制御部に信号等を介して接続され、制御部によって制御される。
また、局部洗浄装置１０（便器装置１）に洗剤供給装置、殺菌成分供給装置等を設け、ノズル洗浄水に洗剤や殺菌成分等を含ませる構成としてもよい。
【００３１】
なお、図４に示す本動作例は、一例に過ぎず、種々の変形が可能である。
図例では、ノズル洗浄中においてノズル１３は収納位置までの後退のみを行っているが、例えば、ノズル１３が所定の位置まで後退したら、再び進出方向へ移動を開始してもよい。ノズル１３の進出方向への再移動の際、ノズル洗浄水開閉弁１９が開の状態を維持することで、一度ノズル洗浄水で洗浄された部位が再び洗浄される態様となる。そして、ノズル１３が所定の位置にまで進出したら、再び収納位置まで後退を開始する。また、ノズル洗浄は局部洗浄の有無に関わらず実行させる態様としてもよい。
【００３２】
以上のように、本実施形態に係る局部洗浄装置１０及びこれを備えた便器装置１は、上記のような構成としたことで、ノズル１３の清浄性を向上させることができる。
つまり、局部洗浄動作を作動させる操作を検知したときに、吐出部１２は、局部に向けて局部洗浄水を供給するノズル１３の表面を、コーティング剤Ａでコーティングする構成としている。従って、局部洗浄動作時に、コーティング剤Ａによりノズル１３に直接汚物等が付着することが防がれ、ノズル１３は清潔に保たれる。
また、局部洗浄動作の終了後、ノズル洗浄部１６によりノズル１３が洗浄される構成としている。これにより、局部洗浄動作の終了毎にノズル１３からコーティング剤Ａや汚物等が洗い流されるので、ノズル１３が清潔に保たれる。
また、吐出部１２は、ノズル１３の表面に対して複数方向からコーティング剤Ａを吐出するように設けられた構成としているので、ノズル１３の表面全体がコーティング剤Ａでコーティングされる。
また、吐出部１２は、局部に向けて局部洗浄水を吐出する洗浄水吐出口１３ａを避けてコーティング剤Ａを吐出する構成としているので、コーティング剤Ａが局部洗浄水に混入されるのを防ぐことができる。
【００３３】
本実施形態では、局部洗浄装置１０を、便器装置１に組み込んだ例を示しているが、このような態様に限られない。例えば、局部洗浄装置１０を、後付的に既設の便器に設置されるものとしてもよい。この場合は、局部洗浄装置１０を、暖房便座や便蓋を備えたいわゆる温水洗浄便座としてもよい。また、本実施形態における便器装置１、局部洗浄装置１０、吐出部１２、ノズル１３、ノズルケース１４、ノズル洗浄部１６等の形状、構成も図例に限定されるものではない。例えば、図１（ａ）では、ノズル１３は斜め下方側に向けて進出する構成であるが、これに限定されず、床面に対して水平を保って進出する構成にすることで、コーティング剤Ａが洗浄水吐出口１３ａに到達されにくい態様にしてもよい。また、局部洗浄操作部１１、ノズル１３、コーティング剤開閉弁１７、局部洗浄水供給部１８、ノズル洗浄水開閉弁１９等の動作も図例や実施形態に限定されるものではない。
【符号の説明】
【００３４】
１    便器装置
１０  局部洗浄装置
１２  吐出部
１３  ノズル
Ａ    コーティング剤
【図１】
2018009375.tif 000003
【図２】
2018009375.tif 000004
【図３】
2018009375.tif 000005
【図４】
2018009375.tif 000006